Podtech/llm-jp-corpus-v4-ja_patent huggingface dataset:
【手続補正書】
【提出日】平成23年7月25日(2011.7.25)
【手続補正１】
【補正対象書類名】特許請求の範囲
【補正対象項目名】全文
【補正方法】変更
【補正の内容】
【特許請求の範囲】
【請求項１】
無線通信システムにおいて制御信号伝送方法において、
前記制御信号は、二つの連続的なスロットを含むサブフレームに含まれ、各スロットは、時間領域で複数のＯＦＤＭ（ｏｒｔｈｏｇｏｎａｌ  ｆｒｅｑｕｅｎｃｙ  ｄｉｖｉｓｉｏｎ  ｍｕｌｔｉｐｌｅｘｉｎｇ）シンボルで構成され、前記複数のＯＦＤＭシンボルは、複数のデータＯＦＤＭシンボルと基準信号の伝送のための複数の基準信号ＯＦＤＭシンボルとに分けられ、前記複数のデータＯＦＤＭシンボルは、第１制御信号の伝送に使われて、前記複数の基準信号ＯＦＤＭシンボルのうち少なくとも一つは、第２制御信号の伝送に使われて、
前記第１制御信号が周波数領域で基本シーケンスにより拡散された後、前記第１制御信号が前記複数のデータＯＦＤＭシンボルにマッピングされ、
前記第２制御信号は、前記複数の基準信号ＯＦＤＭシンボルのうち少なくとも一つにマッピングされ、及び
前記サブフレームで前記第１制御信号と前記第２制御信号とを同時に伝送することを含む方法。
【請求項２】
前記第１制御信号のマッピング及び前記第２制御信号のマッピングは、周波数領域で前記基本シーケンスの循環シフトを遂行することを含むことを特徴とする請求項１に記載の方法。
【請求項３】
前記第１制御信号の情報ビットの数は、前記第２制御信号の情報ビットの数より多いことを特徴とする請求項１に記載の方法。
【請求項４】
前記第１制御信号は、ダウンリンクチャネル状態を表すＣＱＩ（ｃｈａｎｎｅｌ  ｑｕａｌｉｔｙ  ｉｎｄｉｃａｔｏｒ）であり、前記第２制御信号は、ＨＡＲＱ（ｈｙｂｒｉｄ  ａｕｔｏｍａｔｉｃ  ｒｅｐｅａｔ  ｒｅｑｕｅｓｔ）のためのＡＣＫ／ＮＡＣＫ信号であることを特徴とする請求項１乃至３のうちいずれか一項に記載の方法。
【請求項５】
前記データＯＦＤＭシンボルの数は、前記基準信号ＯＦＤＭシンボルの数より多いことを特徴とする請求項１乃至４のうちいずれか一項に記載の方法。
【請求項６】
前記スロットは、５個のデータＯＦＤＭシンボルと２個の基準信号ＯＦＤＭシンボルを含み、前記２個の基準信号ＯＦＤＭシンボルは隣接しないことを特徴とする請求項５に記載の方法。
【請求項７】
前記第２制御信号は、スロット内の最後の基準信号ＯＦＤＭシンボルにマッピングされることを特徴とする請求項１乃至６のうちいずれか一項に記載の方法。
【請求項８】
前記第２制御信号は、一つの変調シンボルであることを特徴とする請求項１乃至７のうちいずれか一項に記載の方法。
【請求項９】
前記第１制御信号は、ＱＰＳＫ（ｑｕａｄｒａｔｕｒｅ  ｐｈａｓｅ  ｓｈｉｆｔ  ｋｅｙｉｎｇ）変調を使用して、前記第２制御信号は、ＢＰＳＫ（ｂｉｎａｒｙ  ｐｈａｓｅ  ｓｈｉｆｔ  ｋｅｙｉｎｇ）またはＱＰＳＫ変調を使用することを特徴とする請求項１乃至８のうちいずれか一項に記載の方法。
【請求項１０】
無線通信システムにおいて動作して、制御信号を伝送する伝送装置（２０）において、
前記制御信号は、二つの連続的なスロットを含むサブフレームに含まれ、各スロットは、時間領域で複数のＯＦＤＭ（ｏｒｔｈｏｇｏｎａｌ  ｆｒｅｑｕｅｎｃｙ  ｄｉｖｉｓｉｏｎ  ｍｕｌｔｉｐｌｅｘｉｎｇ）シンボルで構成され、前記複数のＯＦＤＭシンボルは、複数のデータＯＦＤＭシンボルと基準信号の伝送のための複数の基準信号ＯＦＤＭシンボルとに分けられ、前記複数のデータＯＦＤＭシンボルは、第１制御信号の伝送に使われて、前記複数の基準信号ＯＦＤＭシンボルのうち少なくとも一つは、第２制御信号の伝送に使われて、
前記伝送装置（２０）は、伝送プロセッサ（１１０）を含み、
前記伝送プロセッサ（１１０）は、
前記第１制御信号が周波数領域で基本シーケンスにより拡散された後、前記第１制御信号を前記複数のデータＯＦＤＭシンボルにマッピングし、
前記第２制御信号を前記複数の基準信号ＯＦＤＭシンボルのうち少なくとも一つにマッピングし、及び
前記サブフレームで前記第１制御信号と前記第２制御信号とを同時に伝送するように設定された伝送装置。
【請求項１１】
前記請求項２乃至９のうちいずれか一項の方法を遂行するように設定された請求項１０に記載の伝送装置。
【請求項１２】
無線通信システムにおいて動作して、制御信号を受信する受信装置（１０）において、
前記制御信号は、二つの連続的なスロットを含むサブフレームに含まれ、各スロットは、時間領域で複数のＯＦＤＭ（ｏｒｔｈｏｇｏｎａｌ  ｆｒｅｑｕｅｎｃｙ  ｄｉｖｉｓｉｏｎ  ｍｕｌｔｉｐｌｅｘｉｎｇ）シンボルで構成され、前記複数のＯＦＤＭシンボルは、複数のデータＯＦＤＭシンボルと基準信号の伝送のための複数の基準信号ＯＦＤＭシンボルとに分けられ、前記複数のデータＯＦＤＭシンボルは、第１制御信号の伝送に使われて、前記複数の基準信号ＯＦＤＭシンボルのうち少なくとも一つは、第２制御信号の伝送に使われて、
前記受信装置（１０）は、前記サブフレームで前記第１制御信号と前記第２制御信号とを同時に受信するように設定され、
前記第１制御信号が周波数領域で基本シーケンスにより拡散された後、前記第１制御信号が前記複数のデータＯＦＤＭシンボルにマッピングされ、
前記第２制御信号が前記複数の基準信号ＯＦＤＭシンボルのうち少なくとも一つにマッピングされる受信装置。
【請求項１３】
前記請求項２乃至９のうちいずれか一項の方法を遂行するように設定された請求項１２に記載の受信装置。
【請求項１４】
伝送装置（２０）と受信装置（１０）との間の制御信号を伝送する無線通信システムにおいて、
前記制御信号は、二つの連続的なスロットを含むサブフレームに含まれ、各スロットは、時間領域で複数のＯＦＤＭ（ｏｒｔｈｏｇｏｎａｌ  ｆｒｅｑｕｅｎｃｙ  ｄｉｖｉｓｉｏｎ  ｍｕｌｔｉｐｌｅｘｉｎｇ）シンボルで構成され、前記複数のＯＦＤＭシンボルは、複数のデータＯＦＤＭシンボルと基準信号の伝送のための複数の基準信号ＯＦＤＭシンボルとに分けられ、前記複数のデータＯＦＤＭシンボルは、第１制御信号の伝送に使われて、前記複数の基準信号ＯＦＤＭシンボルのうち少なくとも一つは、第２制御信号の伝送に使われて、
前記伝送装置（２０）と受信装置（１０）は、前記サブフレームで前記第１制御信号と前記第２制御信号を同時に交換するように設定され、
前記第１制御信号が周波数領域で基本シーケンスにより拡散された後、前記第１制御信号が前記複数のデータＯＦＤＭシンボルにマッピングされ、
前記第２制御信号が前記複数の基準信号ＯＦＤＭシンボルのうち少なくとも一つにマッピングされる無線通信システム。
【手続補正書】
【提出日】平成23年2月1日(2011.2.1)
【手続補正１】
【補正対象書類名】特許請求の範囲
【補正対象項目名】全文
【補正方法】変更
【補正の内容】
【特許請求の範囲】
【請求項１】
免疫グロブリンＥとの結合に関して抗体３３と競合する、免疫グロブリンＥに特異的な単離された結合要素。
【請求項２】
ＲＢＬ−ＥＲ５１細胞中２５ｎｇ／ｍｌのＩｇＥにより誘発されるカルシウムシグナル伝達阻害のＩＣ５０幾何平均が１ｎＭ未満である、請求項１に記載の単離された結合要素。
【請求項３】
カルシウムシグナル伝達阻害のＩＣ５０幾何平均が０.２ｎＭ未満である、請求項２に記載の単離された結合要素。
【請求項４】
ＣＤＲ：ＨＣＤＲ１、ＨＣＤＲ２、ＨＣＤＲ３、ＬＣＤＲ１、ＬＣＤＲ２およびＬＣＤＲ３のセットを含み、該ＣＤＲセットが参照ＣＤＲセットから８以下のアミノ酸置換を有し、
ＨＣＤＲ１が配列番号２７９のアミノ酸配列を有し；
ＨＣＤＲ２が配列番号２８０のアミノ酸配列を有し；
ＨＣＤＲ３が配列番号２８１のアミノ酸配列を有し；
ＬＣＤＲ１が配列番号２８４のアミノ酸配列を有し；
ＬＣＤＲ２が配列番号２８５のアミノ酸配列を有し；
ＬＣＤＲ３が配列番号２８６のアミノ酸配列を有する、
ヒト免疫グロブリンＥに特異的な単離された結合要素。
【請求項５】
前記アミノ酸置換が５以下のアミノ酸置換である、請求項４に記載のヒト免疫グロブリンＥに特異的な単離された結合要素。
【請求項６】
ＣＤＲ：ＨＣＤＲ１、ＨＣＤＲ２、ＨＣＤＲ３、ＬＣＤＲ１、ＬＣＤＲ２およびＬＣＤＲ３のセットを含み、ＨＣＤＲ３が配列番号２８１のアミノ酸配列を含む、単離された結合要素。
【請求項７】
ＣＤＲ：ＨＣＤＲ１、ＨＣＤＲ２、ＨＣＤＲ３、ＬＣＤＲ１、ＬＣＤＲ２およびＬＣＤＲ３のセットを含み、該ＣＤＲセットにおいて、
ＨＣＤＲ１が配列番号２７９のアミノ酸配列を有し；
ＨＣＤＲ２が配列番号２８０のアミノ酸配列を有し；
ＨＣＤＲ３が配列番号２８１のアミノ酸配列を有し；
ＬＣＤＲ１が配列番号２８４のアミノ酸配列を有し；
ＬＣＤＲ２が配列番号２８５のアミノ酸配列を有し；
ＬＣＤＲ３が配列番号２８６のアミノ酸配列を有する、
請求項４に記載の単離された結合要素。
【請求項８】
以下の置換：
Ｈ、ＬまたはＳで置換されたＫａｂａｔ残基９５；
Ｉ、Ｓ、Ｔ、ＷまたはＦで置換されたＫａｂａｔ残基９６；
Ａ、ＹまたはＦで置換されたＫａｂａｔ残基９７；
Ｖ、ＰまたはＦで置換されたＫａｂａｔ残基９８；
ＡまたはＹで置換されたＫａｂａｔ残基９９；
Ｇ、ＩまたはＳで置換されたＫａｂａｔ残基１００
の１以上を有する抗体１  ＨＣＤＲ３(配列番号５)を含む、単離された結合要素またはＶＨドメイン。
【請求項９】
モノクローナル抗体である、請求項１〜８のいずれか一項に記載の結合要素。
【請求項１０】
請求項１〜９のいずれか一項に記載の単離された結合要素をコードする単離された核酸分子。
【請求項１１】
請求項１０に記載の核酸分子で形質転換された宿主細胞。
【請求項１２】
請求項１〜９のいずれか一項に記載の単離された結合要素を生産する方法であって、請求項１１に記載の宿主細胞を該結合要素の生産のための条件下で培養することを含む、方法。
【請求項１３】
請求項１〜９のいずれか一項に記載の単離された結合要素と薬学上許容される賦形剤とを含む、医薬組成物。
【請求項１４】
薬剤として用いるための、請求項１３に記載の組成物。
【請求項１５】
ＩｇＥに関連する障害を処置するための、請求項１３の組成物の使用。
【請求項１６】
前記障害がアレルギー、喘息または気管支炎の１以上である、請求項１３に記載の組成物の使用。
【請求項１７】
前記障害がアレルギー性鼻炎、アレルギー性接触性皮膚炎、アトピー性皮膚炎、アナフィラキシー反応、食物アレルギー、蕁麻疹、炎症性腸疾患、好酸球性胃腸炎、薬剤性発疹、アレルギー性眼症、アレルギー性結膜炎、気管支喘息、気道過敏症、化粧品アレルギー、薬剤性アレルギー、薬剤性過敏性症候群、金属アレルギー、職業性過敏性肺炎、慢性過敏性肺炎、寒冷過敏症、蠕虫感染誘発性過敏症、ラテックスアレルギーおよび枯草熱の１以上である、請求項１３に記載の組成物の使用。
【手続補正書】
【提出日】平成23年2月7日(2011.2.7)
【手続補正１】
【補正対象書類名】特許請求の範囲
【補正対象項目名】全文
【補正方法】変更
【補正の内容】
【特許請求の範囲】
【請求項１】
瘢痕の予防、軽減、または抑制のための薬剤として使用される
ＷＮＴ３Ａ、または治療に効果的なその断片もしくはその誘導体。
【請求項２】
請求項１に記載のＷＮＴ３Ａ、または治療に効果的なその断片もしくはその誘導体であって、薬剤が、治療に効果的な量のＷＮＴ３Ａ、またはその断片もしくはその誘導体として使用される
ＷＮＴ３Ａ、または治療に効果的なその断片もしくはその誘導体。
【請求項３】
請求項１または請求項２に記載のＷＮＴ３Ａ、または治療に効果的なその断片もしくはその誘導体であって、瘢痕が、創傷治癒により生じる瘢痕の場合において使用される
ＷＮＴ３Ａ、または治療に効果的なその断片もしくはその誘導体。
【請求項４】
上述の請求項のうちいずれかに記載のＷＮＴ３Ａ、または治療に効果的なその断片もしくはその誘導体であって、瘢痕が、皮膚；眼；腱、靱帯または筋肉；口腔、唇および口蓋；肝臓；心臓；消化組織；生殖組織；腹腔；中枢神経系および末梢神経系；骨盤腔および胸腔から成る群から選択される組織で生じた場合において使用される
ＷＮＴ３Ａ、または治療に効果的なその断片もしくはその誘導体。
【請求項５】
上述の請求項のうちいずれかに記載のＷＮＴ３Ａ、または治療に効果的なその断片もしくはその誘導体であって、瘢痕が、線維性疾患に関連する場合において使用される
ＷＮＴ３Ａ、または治療に効果的なその断片もしくはその誘導体。
【請求項６】
請求項５に記載のＷＮＴ３Ａ、または治療に効果的なその断片もしくはその誘導体であって、線維性疾患が、皮膚線維症；強皮症；進行性全身性線維症；肺線維症；筋線維症；腎臓線維症；糸球体硬化症；糸球体腎炎；子宮線維症；腎線維症；肝硬変、肝線維症；腹部、骨盤、脊椎、または靱帯で発生するような癒着；慢性閉塞性肺疾患；心筋梗塞を引き起こすような線維症；増殖性硝子体網膜症（ＰＶＲ）に関連する線維症；子宮内膜症；虚血性疾患および放射線線維症から成る群から選択された場合において使用される
ＷＮＴ３Ａ、または治療に効果的なその断片もしくはその誘導体。
【請求項７】
上述の請求項のうちいずれかに記載のＷＮＴ３Ａ、または治療に効果的なその断片もしくはその誘導体であって、薬剤が、皮膚の瘢痕の予防、軽減、または抑制に使用される場合に使用される
ＷＮＴ３Ａ、または治療に効果的なその断片もしくはその誘導体。
【請求項８】
請求項１から請求項６のうちいずれかに記載のＷＮＴ３Ａ、または治療に効果的なその断片もしくはその誘導体であって、薬剤が、眼の瘢痕の予防、軽減、または抑制に使用される場合において使用される
ＷＮＴ３Ａ、または治療に効果的なその断片もしくはその誘導体。
【請求項９】
請求項１から請求項６のうちいずれかに記載のＷＮＴ３Ａ、または治療に効果的なその断片もしくはその誘導体であって、薬剤が、腹部、骨盤、脊椎、または靱帯で発生する癒着の予防、軽減、または抑制に使用される場合において使用される
ＷＮＴ３Ａ、または治療に効果的なその断片もしくはその誘導体。
【請求項１０】
上述の請求項のうちいずれかに記載のＷＮＴ３Ａ、または治療に効果的なその断片もしくはその誘導体であって、薬剤が、局所用薬剤として使用される
ＷＮＴ３Ａ、または治療に効果的なその断片もしくはその誘導体。
【請求項１１】
上述の請求項のうちいずれかに記載のＷＮＴ３Ａ、または治療に効果的なその断片もしくはその誘導体であって、薬剤が、注射用溶液として使用される
ＷＮＴ３Ａ、または治療に効果的なその断片もしくはその誘導体。
【請求項１２】
請求項１１に記載のＷＮＴ３Ａ、または治療に効果的なその断片もしくはその誘導体であって、薬剤が、皮内注射に使用される
ＷＮＴ３Ａ、または治療に効果的なその断片もしくはその誘導体。
【請求項１３】
上述の請求項のうちいずれかに記載のＷＮＴ３Ａであって、瘢痕の予防、軽減、または抑制のための薬剤として使用される
ＷＮＴ３Ａ。
【請求項１４】
請求項１から請求項１２のうちいずれかに記載のＷＮＴ３Ａの誘導体であって、瘢痕の予防、軽減、または抑制のための薬剤として使用される
ＷＮＴ３Ａの誘導体。
【請求項１５】
請求項１４に記載のＷＮＴ３Ａの誘導体であって、該誘導体がＷＮＴ３Ａよりも分解に対する耐性を増強した
ＷＮＴ３Ａの誘導体。
【請求項１６】
請求項１４または請求項１５に記載のＷＮＴ３Ａの誘導体であって、該誘導体がペプトイド誘導体である
ＷＮＴ３Ａの誘導体。
【請求項１７】
上述の請求項のうちいずれかに記載のＷＮＴ３Ａ、または治療に効果的なその断片もしくはその誘導体であって、薬剤が、約１ｎｇのＷＮＴ３Ａ、またはその断片もしくはその誘導体を、創傷または線維症のセンチメートル当りに与えて使用される
ＷＮＴ３Ａ、または治療に効果的なその断片もしくはその誘導体。
【手続補正書】
【提出日】平成22年12月7日(2010.12.7)
【手続補正１】
【補正対象書類名】特許請求の範囲
【補正対象項目名】全文
【補正方法】変更
【補正の内容】
【特許請求の範囲】
【請求項１】
（ａ）基板上にナノロッドのアレイを提供する工程と、
任意に（ｂ）犠牲的層を前記アレイに浸透させる工程と、
（ｃ）マトリクス層を前記アレイに浸透させて、これにより浸透したアレイを生成する工程と、
任意に（ｄ）工程（ｂ）が存在する場合、前記マトリクス層を取り除くことなく前記犠牲的層を取り除く工程と、
（ｅ）前記浸透したアレイを前記基板から取り除いて自立型のフィルムを形成する工程であって、前記マトリクス層は対向する表面を有し、かつ前記ナノロッドは前記マトリクス層を通過して、前記マトリクス層の前記対向する表面の一方または両方に少なくとも１マイクロメートルの平均距離を突出するように配向される工程と
を含む、方法。
【請求項２】
工程（ｄ）が存在し、かつ前記方法がさらに、工程（ｄ）の前、その間、またはその後に、第２のマトリクス層を前記アレイに浸透させる工程を含む、請求項１に記載の方法。
【請求項３】
前記ナノロッドが、前記一方または両方の対向する表面に、１マイクロメートル〜０．８ミリメートルの範囲の距離を突出する、請求項１に記載の方法。
【請求項４】
前記アレイが０．１体積％〜５０体積％の範囲の密度を有する、請求項１に記載の方法。
【請求項５】
前記ナノロッドが５〜５００マイクロメートルの範囲の平均高さを有する、請求項１に記載の方法。
【請求項６】
前記ナノロッドが熱伝導性かつ電気絶縁性である、請求項１に記載の方法。
【請求項７】
前記ナノロッドが導電性かつ熱伝導性である、請求項１に記載の方法。
【請求項８】
前記ナノロッドが窒化ホウ素ナノチューブである、請求項１に記載の方法。
【請求項９】
前記ナノロッドが多層カーボンナノチューブおよび単層カーボンナノチューブからなる群から選択される、請求項１に記載の方法。
【請求項１０】
前記ナノロッドのアレイがプラズマ化学気相成長プロセスによって提供される、請求項９に記載の方法。
【請求項１１】
前記ナノロッドのアレイが工程（ａ）の前に黒鉛化工程に供される、請求項１０に記載の方法。
【請求項１２】
工程（ｂ）が存在し、かつ前記犠牲的層がフルオロシリコーン、光硬化性シリコーン、シリカおよびワックスからなる群から選択される、請求項１に記載の方法。
【請求項１３】
前記犠牲的層がワックスである、請求項１２に記載の方法。
【請求項１４】
工程（ｄ）が存在し、かつ前記犠牲的層が加熱によって取り除かれる、請求項１３に記載の方法。
【請求項１５】
前記犠牲的層がシリカであり、前記犠牲的層がソルゲル溶液からシリカの層をコーティングすることにより形成される、請求項１２に記載の方法。
【請求項１６】
工程（ｄ）が存在し、かつ工程（ｄ）および（ｅ）がＨＦ溶液への曝露によって実施される、請求項１５に記載の方法。
【請求項１７】
工程（ｅ）の後、（ｆ）前記自立型のフィルムを洗浄する工程をさらに含む、請求項１６に記載の方法。
【請求項１８】
前記マトリクスが熱硬化性ポリマーを含む、請求項１に記載の方法。
【請求項１９】
前記熱硬化性ポリマーが、エポキシ樹脂、シアネート樹脂、ビスマレイミド樹脂、フェノール樹脂、ポリエステル樹脂、シリコーンエラストマー、ウレタンエラストマー、アクリルエラストマーおよびそれらの組み合わせからなる群から選択される、請求項１８に記載の方法。
【請求項２０】
前記熱硬化性ポリマーが、
Ａ）１分子あたり平均少なくとも２つの脂肪族不飽和有機基を有するポリオルガノシロキサンと、
Ｂ）１分子あたり平均少なくとも２つのケイ素に結合した水素原子を有する架橋剤と、
Ｃ）ヒドロシリル化触媒と
を含む組成物を含む、請求項１８に記載の方法。
【請求項２１】
前記マトリクスが熱可塑性ポリマーを含む、請求項１に記載の方法。
【請求項２２】
前記熱可塑性ポリマーが、ポリアミド、ポリイミド、ポリフェニレン、ポリカーボネート、ポリアセタール、ポリプロピレン、ポリエチレングリコール、ポリオキシメチレン、ポリホルムアルデヒド、シリコーンアミド共重合体、シリコーンポリエーテル、シリコーンポリエーテルイミド共重合体、シリコーンウレタン共重合体、シリコーン尿素およびこれらの組み合わせからなる群から選択される、請求項２１に記載の方法。
【請求項２３】
前記マトリクスがさらに充填材を含む、請求項１８から請求項２２のいずれか１項に記載の方法。
【請求項２４】
前記充填材が熱伝導性である、請求項２３に記載の方法。
【請求項２５】
工程（ｃ）が、スピンコーティング、ディップコーティング、スプレーコーティングおよび溶媒キャスト法からなる群から選択される方法により実施される、請求項１に記載の方法。
【請求項２６】
請求項１から請求項２５のいずれか１項に記載の方法によって調製された自立型のフィルム。
【請求項２７】
自立型のフィルムであって、
ｉ）対向する表面を有するマトリクス層と、
ｉｉ）ナノロッドのアレイであって、前記ナノロッドは前記マトリクス層を通過して、前記マトリクス層の一方または両方の表面に少なくとも１マイクロメートルの平均距離を突出するように配向されているナノロッドのアレイと
を含む、自立型のフィルム。
【請求項２８】
前記アレイが０．５体積％〜５０体積％の範囲の平均密度を有する、請求項２７に記載の自立型のフィルム。
【請求項２９】
前記ナノロッドが５〜５００マイクロメートルの範囲の平均高さを有する、請求項２７に記載の自立型のフィルム。
【請求項３０】
光学フィルタとしての請求項２７から請求項２９のいずれか１項に記載の自立型のフィルムの使用。
【請求項３１】
異方性導電フィルムとしての請求項２７から請求項２９のいずれか１項に記載の自立型のフィルムの使用。
【請求項３２】
放熱材料としての請求項２７から請求項２９のいずれか１項に記載の自立型のフィルムの使用。
【請求項３３】
デバイスであって、
ａ）熱を発生させる構成要素と、
ｂ）放熱材料と、
ｃ）熱管理補助機構と
を備え、前記放熱材料は、前記熱を発生させる構成要素の表面から前記熱管理補助機構の表面まで延在する熱通路に沿って、前記熱を発生させる構成要素と前記熱管理補助機構との間に配置され、前記放熱材料は請求項２７から請求項２９のいずれか１項に記載の自立型のフィルムを含み、前記ナノロッドは前記熱を発生させる構成要素の前記表面および前記熱管理補助機構の前記表面に接触するデバイス。
【請求項３４】
熱を発生させる構成要素と熱管理補助機構との間に放熱材料を配置する工程を含む方法であって、前記放熱材料は、前記熱を発生させる構成要素の表面から前記熱管理補助機構の表面まで延在する熱通路に沿って配置され、前記放熱材料は、請求項２７から請求項２９のいずれか１項に記載の自立型のフィルムを含み、前記ナノロッドは、前記熱を発生させる構成要素の前記表面および前記熱管理補助機構の前記表面に接触する方法。
【請求項３５】
前記熱を発生させる構成要素が半導体ダイを含み、前記熱管理補助機構がヒートシンクまたは熱分散部材を含む、請求項３４に記載の方法。
【手続補正書】
【提出日】平成23年2月2日(2011.2.2)
【手続補正１】
【補正対象書類名】特許請求の範囲
【補正対象項目名】全文
【補正方法】変更
【補正の内容】
【特許請求の範囲】
【請求項１】
架橋ポリマーヒドロゲルの形成方法であって
水混和性溶媒に溶解した薬剤を含む溶液を水溶性前駆体と混合し、混合物を形成し、同時に該薬剤を沈殿させること;
生理的流体にさらされる位置で該混合物を蓄積させること;及び
前駆体を重合させ、架橋ヒドロゲルを形成し、沈殿された該薬剤を包括し、その後、生理的流体に該薬剤を徐々に放出させること
を含む、前記方法。
【請求項２】
前記溶液が水性であり、前記前駆体が薬剤の沈殿を引き起こす、請求項１記載の方法。
【請求項３】
前記沈殿を体積排除機構によって行う、請求項２記載の方法。
【請求項４】
前記前駆体がポリエチレンオキシドを含む、請求項３記載の方法。
【請求項５】
前記溶液が水性であり、前記沈殿が塩濃度、イオン量、pH及びそれらの組合せからなる群の要素の変化により生じる、請求項１記載の方法。
【請求項６】
前記溶液が水性であり、塩を、塩析効果によって薬剤の沈殿を生じる濃度で前記混合物に混合する、請求項５記載の方法。
【請求項７】
前記溶液が水性であり、緩衝液を、pHの変化によって薬剤の沈殿を生じる濃度及びpHで前記混合物に混合する、請求項５記載の方法。
【請求項８】
前記水混和性溶媒がアルコール又は有機溶媒を含み、前記沈殿を、アルコール又は有機溶媒を水性である第2の溶媒で希釈することにより行う、請求項１記載の方法。
【請求項９】
前記水混和性溶媒がアルコール又は有機溶媒を含み、前記沈殿を、アルコール又は有機溶媒の除去によって行う、請求項１記載の方法。
【請求項１０】
前記前駆体が求核性官能基を含む第1の前駆体であり、該求核性官能基と共有結合する求電子性基を含む第2の前駆体と混合され、前記重合を達成する、請求項１記載の方法。
【請求項１１】
前記前駆体が不飽和官能基を含む第1の前駆体であり、前記重合を開始する重合開始剤と混合される、請求項１記載の方法。
【請求項１２】
前記ヒドロゲルが、互いに共有結合を形成するように反応する2つの前駆体から形成され、前記重合がその2つの前駆体の混合により開始される、請求項１記載の方法。
【請求項１３】
前記前駆体が、ポリアルキレンオキシド、ポリエーテル、ポリエチレングリコール、デキストラン、ポリビニルピロリジノン、又は分子量で少なくとも約40%のポリアルキレンオキシド、ポリエーテル、ポリエチレングリコール、デキストラン、若しくはポリビニルピロリジノンを有するそれらのコポリマーを含む、請求項１記載の方法。
【請求項１４】
前記薬剤が水溶性である、請求項１記載の方法。
【請求項１５】
請求項１〜１４のいずれかに記載の方法によって形成される医療機器。
【手続補正書】
【提出日】平成23年1月27日(2011.1.27)
【手続補正１】
【補正対象書類名】特許請求の範囲
【補正対象項目名】全文
【補正方法】変更
【補正の内容】
【特許請求の範囲】
【請求項１】
人の皮膚領域の視覚的な魅力を改善する装置であって、該装置は、
筐体と、
少なくとも１つの光源であって、該光源は、オンとオフとを切り替えることが可能である、光源と、
少なくとも１つの画像受信要素と、
少なくとも１つの反射率修正剤の塗布要素であって、該反射率修正剤の塗布要素は、静電気的に帯電された反射率修正剤を特定のフレクセルに対して該フレクセルの反射特性に従って選択的に塗布する、反射率修正剤の塗布要素と
を備える、装置。
【請求項２】
前記反射率修正剤の塗布要素は、静電気チャージャをさらに備え、該チャージャは、
電源と、
電極と、
接地手段と
を備える、請求項１に記載の装置。
【請求項３】
前記反射率修正剤の塗布要素は、滴制御デバイスをさらに備える、請求項１に記載の装置。
【請求項４】
前記滴制御デバイスは、少なくとも１つのインクジェットプリントヘッドをさらに備える、請求項３に記載の装置。
【請求項５】
人の皮膚領域の視覚的な魅力を改善するシステムであって、該システムは、
少なくとも１つの反射率修正剤と、
該皮膚領域を複数のフレクセルへと割り当てる手段と、
該複数のフレクセルのそれぞれの反射特性を測定する手段と、
該複数のフレクセルのそれぞれの反射特性から、特定のフレクセルに所望の量の該反射率修正剤を塗布する修正計画を決定する手段であって、該修正計画は、該皮膚領域の上に向けられるように構成されたスキャナおよびプリンタユニットを備え、該スキャナは、位置を決定するように構成される、手段と、
該位置から所望の修正を決定する手段と、
該皮膚に塗布される静電気的に帯電された修正の少なくとも一部分と
を備える、システム。
【請求項６】
前記修正計画は、
前記複数のフレクセルのそれぞれの反射特性に従って前記皮膚に塗布される静電気的に帯電された修正の少なくとも一部分をさらに備える、請求項５に記載のシステム。
【請求項７】
前記修正計画は、
前記複数のフレクセルのそれぞれの反射特性に反対して、前記皮膚に塗布される静電気的に帯電された修正の少なくとも一部分をさらに備える、請求項５に記載のシステム。
【手続補正２】
【補正対象書類名】明細書
【補正対象項目名】００１５
【補正方法】変更
【補正の内容】
【００１５】
この局面および他の局面、特徴、および利点は、本発明のシステムおよび方法に従って達成される。本発明に従った、コンピュータ制御型システムは、フレクセル（ｆｒｅｘｅｌ）、人の皮膚領域の属性を決定し、皮膚をより魅力的であるように見せるために、静電気的に帯電された反射率修正剤（ＲＭＡ）を画素レベルにおいて塗布する。該システムは、フレクセルを走査し、魅力的でない属性を識別し、静電気チャージャによってＲＭＡを帯電させ、一般的にインクジェットプリンタによってＲＭＡを塗布する。識別される属性は、反射率に関連しており、不均整な外見の明暗斑、加齢斑、瘢痕、および打撲傷などの容貌を表し得る。識別される属性は、表面の不均整をより正確に改善するために、皮膚の表面トポロジーとも関連し得る。容貌マッピングは、例えば、ほおがよりピンク色に見え、そしてほお骨がより目立つようにするために用いられ得る。帯電されたＲＭＡは、魅力の理想化モデルに従って、赤を赤のフレクセルに追加するなどの識別されたパターンと一致するか、あるいは緑または青を赤のフレクセルに追加するなどの識別されたパターンとは反対に塗布され得る。
例えば、本発明は以下の項目を提供する。
（項目１）
人の皮膚領域の視覚的な魅力を改善する装置であって、該装置は、
筐体と、
光源がオンとオフとを切り替えられ得るような少なくとも１つの光源と、
少なくとも１つの画像受信要素と、
少なくとも１つの反射率修正剤の塗布要素であって、該反射率修正剤の塗布要素は、静電気的に帯電された反射率修正剤を特定のフレクセルに対して該フレクセルの反射特性に従って選択的に塗布する、反射率修正剤の塗布要素と
を備える、装置。
（項目２）
上記反射率修正剤の塗布要素は、静電気チャージャをさらに備え、該チャージャは、
電源と、
電極と、
接地手段と
を備える、項目１に記載の装置。
（項目３）
上記反射率修正剤の塗布要素は、滴制御デバイスをさらに備える、項目１に記載の装置。
（項目４）
上記滴制御デバイスは、少なくとも１つのインクジェットプリントヘッドをさらに備える、項目３に記載の装置。
（項目５）
人の皮膚領域の視覚的な魅力を改善する方法であって、該方法は、
少なくとも１つの反射率修正剤を提供することと、
該皮膚領域を複数のフレクセルへと割り当てることと、
該複数のフレクセルのそれぞれの反射特性を測定することと、
該複数のフレクセルのそれぞれの反射特性から、特定のフレクセルに塗布するために、該反射率修正剤の所望の量を備える修正計画を決定することと、
該修正計画を実行することであって、該修正計画を実行することは、
該皮膚領域の上にスキャナユニットおよびプリンタユニットを向けることと、
位置を決定するために該スキャナを用いることと、
該位置から所望の修正を決定することと、
静電気的に帯電された修正の少なくとも一部分を該皮膚に塗布することと
を包含する、ことと
を包含する、方法。
（項目６）
上記修正計画を実行することは、
静電気的に帯電された修正の少なくとも一部分を、上記複数のフレクセルのそれぞれの反射特性に従って、上記皮膚に対して塗布すること
をさらに包含する、項目５に記載の方法。
（項目７）
上記修正計画を実行することは、
静電気的に帯電された修正の少なくとも一部分を、上記複数のフレクセルのそれぞれの反射特性に反対して、上記皮膚に対して塗布すること
をさらに包含する、項目５に記載の方法。
【手続補正書】
【提出日】平成22年12月1日(2010.12.1)
【手続補正１】
【補正対象書類名】明細書
【補正対象項目名】００１０
【補正方法】変更
【補正の内容】
【００１０】
（図面の詳細な説明）
図１は、外壁１と、内壁２と、タンクの対向壁同士を接続する内部支え３とを有する二重閉じ込めの平面図である。タンク壁は、Ｈ型の断面を有する水平梁セクション４を溶接して合わせることによって確立され、これらの梁セクション４は、互いに積み重ねられるとともに、隣り合う長手縁に沿って継ぎ合わされ、図１の５で示されるように、端面において他の梁セクション４又は接続ピースの端面に当接する。支え３は、継ぎ部５の場所において、対応する壁にブラケット６によって接続される。支え３は、タンク内に含まれる流体からの内部圧力を受ける際のタンク壁の膨張を大幅に低減させることがわかる。また、支えは、実際は、穴の開いた「隔壁」を形成しており、タンクが旅程上で縦横に揺れる船の積荷タンクである際のスロッシングとして知られる荷動きを低減させる。
【手続補正２】
【補正対象書類名】特許請求の範囲
【補正対象項目名】全文
【補正方法】変更
【補正の内容】
【特許請求の範囲】
【請求項１】
角柱タンクであって、外壁及び内壁（１，２）と、前記タンクに含まれる流体によって前記壁に及ぼされる力を抑制する内部水平支え（３）とを有し、前記壁（１，２）は、ウェブ（９）によって相互に接続される２つの平行フランジ（７，８）を有する水平梁セクション（４）で構成され、前記梁セクション（４）は、互いに積み重ねられ、前記フランジ（７，８）の隣り合う長手縁に沿って継ぎ合わされ、端面において他の梁セクション（４）又は接続ピース（１９，２４）の端面に当接し、
他の梁セクション（４）又は接続ピース（１９，２４）に当接する梁セクション（４）のウェブ（９）の端面は、前記端面と前記当接先の梁セクション（４）又は接続ピース（１９，２４）との間に第１の開口（１１）を空けるように凹んでいることを特徴とするタンク。
【請求項２】
請求項１に記載のタンクであって、
前記第１の開口（１１）は、丸い輪郭を有する、タンク。
【請求項３】
請求項１又は２に記載のタンクであって、
少なくとも複数の前記支え（３）は、当接する梁セクション（４）間の継ぎ部（５）の場所で、前記継ぎ部（５）の両側に伸びる少なくとも１つのブラケットによって前記対応する内壁（２）に接続される、タンク。
【請求項４】
請求項３に記載のタンクであって、
前記継ぎ部（５）に隣接して前記ブラケット（６）内に第２の開口（１４）が形成される、タンク。
【請求項５】
請求項４に記載のタンクであって、
前記梁セクション（４）の少なくとも一部は、それらのウェブ（９）の外部延長として構成されるリブ（１２）を有し、前記ブラケット（６）は、前記リブ（１２）及び前記リブ（１２）内に伸びる前記第２の開口（１４）に接続される、タンク。
【請求項６】
請求項３，４，又は５に記載のタンクであって、
前記支え（３）は、前記内壁（２）から一定の距離で前記少なくとも１つのブラケット（６）に接続され、該接続は、好ましくはプリストレストボルト（１６）を含む、タンク。
【請求項７】
請求項１，２，又は３に記載のタンクであって、
前記梁セクション（４）の少なくとも一部のウェブ（９）は、前記梁セクションの前記フランジ（７，８）の長手縁に対して偏心的に、好ましくは前記タンクに含まれる流体からの静水圧を受ける際の前記内側フランジ（８）の偏向点の近くに位置付けられる、タンク。
【請求項８】
請求項１ないし７のいずれかに記載のタンクであって、
Ｉ型の梁セクションが、継ぎ合わされる梁セクション（４）の端面間の接続ピースを形成する、タンク。
【請求項９】
請求項１ないし８のいずれかに記載のタンクであって、
前記タンクの角は、接続される梁セクション（４）のウェブ（９）が不連続性を有することを許容しつつ力及び曲げモーメントを伝達する接続ピース（１９，２４）を含む、タンク。
【請求項１０】
請求項９に記載のタンクであって、
前記接続ピース（１９）は、直角三角形のような形状の中空部分（２０）と、前記三角形の短い辺の端から垂直に伸びる平行な脚（２１，２２）とを含む、タンク。
【請求項１１】
請求項１０に記載のタンクであって、
前記接続ピース（１９）は、前記三角形の頂点及び底辺中央において溶接され合わされる２つの対称パーツ（１８）によって形成される、タンク。
【請求項１２】
請求項９に記載のタンクであって、
梁セクション（４）は、合掌形継ぎ部の角において継ぎ合わされ、前記接続ピースは、前記梁セクション（４）のフランジ（７，８）を溶接される平板（２４）であり、前記梁セクション（４）の前記ウェブ（９）は、前記平板（２４）と反対向きに凹んでいる、タンク。
【手続補正書】
【提出日】平成23年2月21日(2011.2.21)
【手続補正１】
【補正対象書類名】明細書
【補正対象項目名】００１３
【補正方法】変更
【補正の内容】
【００１３】
調理中のタブの隆起は、調理器具の妨げとならないように小さくされるべきである。一般に、缶の縁を越えて４ｍｍ未満までのタブ持上げが許容可能である。より好ましくは、およびより低リスクでは、タブ持上げは３．５ｍｍ未満であり、または３．０ｍｍ未満でさえある。明らかに、タブ持上げは、存在する缶の内部圧力に影響され得る。そのような圧力は、０．６〜３．０バールの範囲内、好ましくは１．０〜２．８バールの範囲内、たとえばより好ましくは１．５〜２．５バールの範囲内にあり得、たとえば直径が７３ｍｍで圧力が１．５〜２．５バールであれば、タブ持上げは２．５ｍｍ未満である。明らかに、本発明に係る開けやすいパネルの形状および適用される変形可能なパネル構造に依存して、調理中の予想される内部圧力に対してどの程度まで減少したタブ隆起が許容可能であるかを決定することは当業者にとって通常の実験である。
【手続補正２】
【補正対象書類名】明細書
【補正対象項目名】００２８
【補正方法】変更
【補正の内容】
【００２８】
図３Ｂは、リベット構造７を介してパネル１７に接続されたタブ４を備える、本発明に係るパネル１７を示す。タブ前部６の下でリベット構造７とカール部１５との間の領域１８には、缶の内部圧力によって変形可能なパネル構造１９が設けられる。この変形可能なパネル構造１９は、約１６０〜２００°より大きくリベット構造７を取囲む、外向きに延在したビードの形状を有する。
【手続補正３】
【補正対象書類名】明細書
【補正対象項目名】００２９
【補正方法】変更
【補正の内容】
【００２９】
図３Ｃは、本発明に係る別の開けやすいパネル２０を示す。パネル２０は、タブ前部６の下でリベット構造７とカール部１５との間に、缶の内部圧力によって変形可能なパネル構造２１を備える。この構造２１は、約１７０〜２４０°より大きくリベット構造７を取囲む、内向きのビードの形状を有する。
【手続補正４】
【補正対象書類名】明細書
【補正対象項目名】００４４
【補正方法】変更
【補正の内容】
【００４４】
タブ持上げｌは、３２〜１２０ｍｍの所与の範囲内にあり得る缶の直径にも依存する。より実際的には、タブ持上げは、直径が４５〜１０２ｍｍの間、たとえば４５〜９９ｍｍの範囲内にある缶について減らされるべきである。
【手続補正５】
【補正対象書類名】特許請求の範囲
【補正対象項目名】全文
【補正方法】変更
【補正の内容】
【特許請求の範囲】
【請求項１】
開けやすいパネル（３，２０，２４，２６，２８，３０）を有する缶（１）であって、
リベット構造（７）を介して前記パネル（３，２０，２４，２６，２８，３０）に接続されたタブ（４）を備え、
前記タブ（４）は、掴んで作動させるためのタブ後部（５）、およびタブが作動すると前記缶（１）を開けるためのタブ前部（６）を含み、
前記パネル（３，２０，２４，２６，２８，３０）は、少なくとも前記タブ前部（６）の下に、缶の内部圧力による応力伸張を補償するために変形可能な圧縮構造（１９，２１，２７，２９，３１）を有するパネル構造（１９，２１，２７，２９，３１）を含むことを特徴とする、缶。
【請求項２】
変形可能な前記パネル構造（２７，２９）は、内向きもしくは外向きの窪みの形状（２７）、または波形もしくは傾いた形状（２９）を有する、請求項１に記載の缶（１）。
【請求項３】
変形可能な前記パネル構造（２５）は、前記リベット構造（７）を部分的に取巻くまたは取囲むビード（２５）の形状を有する、請求項１に記載の缶（１）。
【請求項４】
変形可能なパネルビード構造（１９，２１，２５，２７，２９，３１）は、内向きまたは外向きに延在する、請求項３に記載の缶（１）。
【請求項５】
前記ビード（２５）は、２７０°より大きく、１８０°より大きく、１２０°より大きく円周方向に延在する、請求項３または４に記載の缶（１）。
【請求項６】
変形可能な前記パネル構造（１９，２１，２５，２７，２９，３１）は、缶の内部圧力によって、前記タブ後部（５）のタブ持上げを、缶の縁の上の４ｍｍ未満、好ましくは３．５ｍｍ未満、より好ましくは３．０ｍｍ未満に制限する、請求項１から５に記載の缶（１）。
【請求項７】
前記タブ持上げの制限は、０．６〜３．０バール、好ましくは１．０〜２．８バール、より好ましくは１．５〜２．５バールの缶の内部圧力で発生し、たとえば直径が７３ｍｍで圧力が１．５〜２．５バールであれば、タブ持上げは２．５ｍｍ未満である、請求項６に記載の缶（１）。
【請求項８】
前記缶の缶直径は３２〜１２０ｍｍ、好ましくは４５〜１０２ｍｍ、より好ましくは４５〜９６ｍｍである、請求項１から７に記載の缶（１）。
【請求項９】
前記缶の内部圧力が緩和されると、変形可能な前記パネル構造（１９，２１，２７，２９，３１）は、前記タブ後部（５）が前記缶の縁（１４）の下にあるように再形成する、請求項１から８に記載の缶（１）。
【請求項１０】
請求項１から９に記載の缶（１）に対する、リベット構造（７）を介して前記パネル（３，２０，２４，２６，２８，３０）に接続されたタブ（４）を備える、開けやすいパネル（３，２０，２４，２６，２８，３０）。
【請求項１１】
缶の内部圧力による応力伸張を補償するために変形可能な圧縮構造（１９，２１，２７，２９，３１）を有するパネル構造（１９，２１，２７，２９，３１）を備える、請求項１０に記載の開けやすいパネルのためのパネル（３，２０，２４，２６，２８，３０）。
【手続補正書】
【提出日】平成23年2月24日(2011.2.24)
【手続補正１】
【補正対象書類名】特許請求の範囲
【補正対象項目名】全文
【補正方法】変更
【補正の内容】
【特許請求の範囲】
【請求項１】
プレカット可食フィルム片の積層体からプレカット可食フィルム片を１枚ずつ分与するためのバルクディスペンサーであって、
プレカット可食フィルム片の積層体を保持する寸法形状とした容器胴部にして、周囲部分を画定するシール用のリムを上面に有し、当該周囲部分の内部には、プレカット可食フィルム片を容器胴部から取り出す際に通す開口を更に有する容器胴部と、
容器胴部に連結した容器蓋にして、容器胴部を覆う閉止位置と、容器胴部の開口を露呈させる上昇位置との間を可動の容器蓋と、
容器胴部の開口の上方で容器蓋内部に配置した起動ポンプにして、容器蓋を閉じたときはシール用リムと共にシールを形成し、起動するとプレカット可食フィルムの積層体からの１枚のプレカット可食フィルムと係合する真空式の吸引カップを含む起動ポンプと、
を含むバルクディスペンサー。
【請求項２】
起動ポンプの上方で容器蓋上に取り付けた起動蓋にして、固定位置と、起動蓋を起動ポンプ上に押し下げて当該起動ポンプと係合させ且つ起動ポンプを起動する起動位置との間を可動の起動蓋を有する請求項１のバルクディスペンサー。
【請求項３】
シール用リムと起動ポンプとの間に形成されるシールが再シール自在のシールである請求項１のバルクディスペンサー。
【請求項４】
シールが耐湿性シールである請求項１〜３の何れかのバルクディスペンサー。
【請求項５】
容器胴部が、プレカット可食フィルム片の積層体を保持するフィルムトレーを含む請求項１〜４の何れかのバルクディスペンサー。
【請求項６】
フィルムトレーを乾燥剤同伴ポリマー材料から作製した請求項５のバルクディスペンサー。
【請求項７】
容器胴部がフィルムカバーを更に含む請求項１〜６の何れかのバルクディスペンサー。
【請求項８】
容器をフィルムカバーに蝶着した請求項７のバルクディスペンサー。
【請求項９】
容器蓋とフィルムカバーとを単一部片から成型した請求項７又は８のバルクディスペンサー。
【請求項１０】
起動蓋と、容器蓋と、フィルムカバーとを単一部片から成型した請求項７又は８のバルクディスペンサー。
【請求項１１】
容器蓋が凹部を含み、起動ポンプを当該凹部内に配置した請求項１〜１０の何れかのバルクディスペンサー。
【請求項１２】
容器蓋が、凹部内で且つ起動ポンプに隣り合って配置した支台を更に含む請求項１１のバルクディスペンサー。
【請求項１３】
起動蓋を容器蓋の凹部内に嵌入させた請求項１１又は１２のバルクディスペンサー。
【請求項１４】
凹部が、相対するチャンネルを有し、起動蓋が、相対する装着面とクリップとを有し、相対する装着面とクリップの各々が、相当する前記相対するチャンネル内に嵌入して起動蓋を容器蓋に固定する請求項１３のバルクディスペンサー。
【請求項１５】
起動ポンプを熱可塑性エラストマーから形成した請求項１〜１４の何れかのバルクディスペンサー。
【請求項１６】
起動ポンプが、上昇した起動ノブを含み、起動蓋を起動ポンプ上に押し下げたとき、該起動ノブに起動蓋が係合する請求項１〜１５の何れかのバルクディスペンサー。
【手続補正書】
【提出日】平成23年2月4日(2011.2.4)
【手続補正１】
【補正対象書類名】特許請求の範囲
【補正対象項目名】全文
【補正方法】変更
【補正の内容】
【特許請求の範囲】
【請求項１】
外面（１２）を有するモジュール式コンベヤベルト（７０）と；
それぞれが個別の幅を有する複数の部品（２０、２２、２３、６４）を含んだ選択幅のアタッチメント（１０）であって、隣接する並んだ層が整列した積層体で構成されて前記選択幅のアタッチメントを形成するアタッチメントと；
を具えており、
前記積層体の少なくとも１の前記部品が、前記アタッチメントが前記外面の外側に配置された状態で前記モジュール式コンベヤベルトに前記アタッチメントを結合するための結合構造（３４）を有しており、
前記積層体の最外層を形成する前記部品（２２、２３、６４）が、前記積層体の内側層を形成する前記部品（２０）と異なることを特徴とするコンベヤ。
【請求項２】
前記部品のうちの少なくとも２が異なる幅を有していることを特徴とする請求項１に記載のコンベヤ。
【請求項３】
前記整列した積層体の前記部品が、前記積層体を通る通路（２６）を形成する整列した穴部（２４）を有しており、前記積層体の整列を保持すべくロッド（２８）を収容し得ることを特徴とする請求項１又は２に記載のコンベヤ。
【請求項４】
前記モジュール式コンベヤベルトが、隣接するモジュール間の継ぎ目によって連続的に分けられた複数のベルトモジュール（１４）の一連の列を具えており、
前記アタッチメントが前記継ぎ目のうちの少なくとも１つに架かっていることを特徴とする請求項１乃至３のいずれか１項に記載のコンベヤ。
【請求項５】
前記アタッチメントが、前記モジュール式コンベヤベルトの前記外面から外側に延在するバケットを形成することを特徴とする請求項１乃至４のいずれか１項に記載のコンベヤ。
【請求項６】
前記部品（２０）のうちの少なくともいくつかが、略Ｃ形状であることを特徴とする請求項１乃至４のいずれか１項に記載のコンベヤ。
【請求項７】
前記モジュール式コンベヤベルトが、前記コンベヤベルトの前記外面の幅にわたって間隔を空けて直立した支持部（３６）であって、それを通る開口部（３８）を具える支持部（３６）を有しており、
前記結合構造が、前記支持部の前記開口部と並んだ開口部（３２）を有しており、さらに、並んだ前記開口部に受容される結合ピン（３０）を具えており、前記モジュール式コンベヤベルトに前記アタッチメントを結合することを特徴とする請求項１乃至４のいずれか１項に記載のコンベヤ。
【請求項８】
前記結合構造が歯部を有しており、
前記モジュール式コンベヤベルトが、前記歯部を受容するための受容可能な開口したレセプタクル（３９）を前記外面に有していることを特徴とする請求項１乃至７のいずれか１項に記載のコンベヤ。
【請求項９】
前記内側層を形成している部品（２０）が、前記積層体の隣接する部品の第２及び第１のエッジに接触する反対側の第１及び第２のエッジ（４６、４７）を有し、
前記第１のエッジが、前記第１のエッジの全長に沿って延びるビード（ｂｅａｄ）（４４）を有しており、
前記第２のエッジが、前記第２のエッジの全長に沿って延び、且つ、前記隣接する部品の前記第１のエッジの前記ビードを受容する溝部（４８）を有することを特徴とする請求項１乃至８のいずれか１項に記載のコンベヤ。
【請求項１０】
モジュール式コンベヤベルト用のアタッチメントであって、
それぞれが個別の幅を有し、隣接する並んだ層が整列した積層体で構成された複数の部品（２０、２２、２３、６４）と；
前記部品の層を相互に結合して選択幅の前記積層体を形成するための手段と；
を具えており、
前記積層体の前記部品の少なくとも１が、モジュール式コンベヤベルトに前記アタッチメントを結合するための結合構造（３４）を有しており、
前記積層体が、１対の外側層の間に挟まれた内側層を有しており、
前記内側層を形成する部品（２０）が、最外層を形成する前記部品（２２、２３、６４）と断面が異なることを特徴とするアタッチメント。
【請求項１１】
前記結合手段が、前記積層体を通って延在する通路（２６）を形成するそれぞれの前記部品の整列した穴部（２４）と、前記通路を通って延在するロッド（２８）と、前記部品の層を一緒に保持するための前記ロッドの端部の締結具（２９）と、を具えていることを特徴とする請求項１０に記載のアタッチメント。
【請求項１２】
前記内側層を形成する部品（２０）が、前記積層体の隣接する部品の第２及び第１のエッジに接触する反対側の第１及び第２のエッジ（４６、４７）を有しており、
前記第１のエッジが、前記第１のエッジの全長に沿って延びるビード（４４）を有しており、
前記第２のエッジが、前記第２のエッジの全長に沿って延び、且つ、前記隣接する部品の前記第１のエッジの前記ビードを受容する溝部（４８）を有することを特徴とする請求項１０又は１１に記載のアタッチメント。
【請求項１３】
前記内側層を形成する前記部品（２０）が略Ｃ形状であることを特徴とする請求項１０又は１１に記載のアタッチメント。
【手続補正書】
【提出日】平成22年12月7日(2010.12.7)
【手続補正１】
【補正対象書類名】特許請求の範囲
【補正対象項目名】全文
【補正方法】変更
【補正の内容】
【特許請求の範囲】
【請求項１】
ガラスまたはセラミック製品に装飾を施す方法であって、
ガラスフリット配合物の下部の層（２）を設け、インクジェット印刷によって、少なくとも１種の顔料配合物の少なくとも１つの層（３）を、画像を形成するように、前記ガラスフリット配合物の下部の層（２）に直接設け、インクジェット印刷によって、ガラスフリット配合物の上部の層（４）を前記少なくとも１種の顔料配合物の層（３）に設けて、基材（１）を被覆する被覆工程と、
前記層（２，３，４）を設けた前記ガラスまたはセラミック製品を、少なくとも前記下部および上部の層（２，４）のガラスフリット粒子の溶融温度になるまで加熱する加熱工程とを含む方法。
【請求項２】
請求項１に記載の方法において、
前記基材（１）が、前記ガラスまたはセラミック製品そのものである方法。
【請求項３】
請求項２に記載の方法において、
前記加熱工程の前に、前記ガラスフリット配合物の上部の層（４）に、保護層（５）を設ける方法。
【請求項４】
請求項１〜３のいずれか一項に記載の方法において、
前記ガラスフリット配合物の下部の層（２）が、前記ガラスまたはセラミック製品の上における最下層となることを特徴とする方法。
【請求項５】
請求項１、２および４のいずれか一項に記載の方法において、
前記ガラスフリット配合物の上部の層（４）が、前記ガラスまたはセラミック製品の上における最上層となることを特徴とする方法。
【請求項６】
請求項３に記載の方法において、
前記保護層（５）が、前記ガラスまたはセラミック製品の上における最上層となることを特徴とする方法。
【請求項７】
請求項１に記載の方法において、
前記基材（１）が転写媒体であり、前記加熱工程の前に、前記層（２，３，４）を前記転写媒体から分離して前記ガラスまたはセラミック製品に転写することを特徴とする方法。
【請求項８】
ガラスまたはセラミック製品に装飾を施すための印刷装置であって、
ガラスフリット配合物が供給される少なくとも１つのプリントヘッド（１３ａ，１６ａ，１６ｃ，１６ｅ，１７ｂ，１７ｄ，１７ｅ）と、顔料配合物が供給される少なくとも１つのプリントヘッド（１４ａ，１４ｂ，１４ｃ，１４ｄ，１６ｂ，１６ｄ，１７ａ，１７ｃ）とを有する少なくとも１つのプリントヘッド構造体（７）を備え、
前記プリントヘッド構造体（７）が、印刷を行う対象となる基材（１）に対して、搬送軸心（１０）に沿って移動可能であり、かつ、前記搬送軸心（１０）を横切る印刷軸心（８）に沿って移動可能である印刷装置。
【請求項９】
請求項８に記載の印刷装置において、
前記プリントヘッド構造体（７）において、前記ガラスフリット配合物が供給される少なくとも１つのプリントヘッド（１３ａ，１６ａ，１６ｃ，１６ｅ，１７ｂ，１７ｄ，１７ｅ）が、前記プリントヘッド構造体（７）に対する前記基材（１）の搬送方向（１２）に沿って、前記顔料配合物が供給される少なくとも１つのプリントヘッド（１４ａ，１４ｂ，１４ｃ，１４ｄ，１６ｂ，１６ｄ，１７ａ，１７ｃ）の前方および／または後方に配置されていることを特徴とする印刷装置。
【請求項１０】
請求項９に記載の印刷装置において、
前記プリントヘッド構造体（７）において、保護層用配合物が供給される少なくとも１つのプリントヘッド（１３ｂ、１６ｆ、１７ｆ）が、印刷方向（１１）に沿って、および／または前記プリントヘッド構造体（７）に対する前記基材（１）の前記搬送方向（１２）に沿って、前記ガラスフリット配合物が供給されるプリントヘッド（１３ａ，１６ａ，１６ｃ，１６ｅ，１７ｂ，１７ｄ，１７ｅ）の前方および／または後方に配置されていることを特徴とする印刷装置。
【請求項１１】
請求項８〜１０のいずれか一項に記載の印刷装置において、
前記印刷装置（７）が、少なくとも１つの乾燥用および／または硬化用の装置（１５）を備えることを特徴とする印刷装置。
【請求項１２】
ガラスまたはセラミック製品に装飾を施すためのガラスフリット配合物であって、
５００℃〜１２００℃の温度範囲内に溶融温度を有するガラスフリット粒子と、
少なくとも１種の分散剤と、
少なくとも１種の溶剤とを含み、
固体成分が、２０重量％〜６０重量％含まれ、
固体成分の沈殿速度が、１分間あたり１ミリメートル以下であり、
粘度が、２０℃〜４０℃の温度範囲内において、０．００２Ｐａｓ〜０．０５Ｐａｓであるガラスフリット配合物。
【請求項１３】
ガラスまたはセラミック製品に装飾を施すための顔料配合物であって、
少なくとも１種の無機顔料と、
少なくとも１種の分散剤と、
少なくとも１種の溶剤とを含み、
固体成分が、２０重量％〜６０重量％含まれ、
固体成分の沈殿速度が、１分間あたり１ミリメートル以下であり、
粘度が、２０℃〜４０℃の温度範囲内において、０．００２Ｐａｓ〜０．０５Ｐａｓである顔料配合物。
【請求項１４】
焼成された層状構造体を備えるガラスまたはセラミック製品であって、装飾部分が、
ガラスフリット配合物で構成された最下層と、
この最下層の上の、少なくとも１種の顔料配合物で構成された層と、
この少なくとも１種の顔料配合物の層の上の、ガラスフリット配合物で構成された最上層とを有するガラスまたはセラミック製品。
【請求項１５】
ガラスまたはセラミック製品に装飾を施すための転写媒体であり、顔料配合物の層と、ガラスフリット配合物の上部の層とを印刷するための転写媒体であって、
保護層および／またはガラスフリット配合物の下部の層があらかじめ設けられている転写媒体。